(57)【特許請求の範囲】
【請求項１】
カーテンレールにカーテン生地を吊下支持し、前記カーテンレールの端部に備えた保持具で前記カーテン生地の端部上縁を吊下支持するカーテン生地の端部保持装置において、
カーテンレールの端部に取着されるキャップと前記保持具に、該保持具を前記キャップに弾性的に保持する係合手段を備え、
前記キャップは、弾性を有する合成樹脂で成形されており、前記カーテンレール内に向かって平行に延びる第一の支持辺と第二の支持辺とを備え、
前記保持具は、前記第一の支持辺と前記第二の支持辺との間に挿入可能とした第一の金具を含み、
前記係合手段は、前記第一の支持辺と前記第一の金具とのいずれか一方の部材に設けられた突起と、
前記第一の支持辺と前記第一の金具のなかで前記突起が設けられていない他方の部材に設けられ、前記突起に弾性的に係合する係止孔とを備え、
前記保持具は、前記カーテンレールに固定手段によって着脱可能に固定される
カーテン生地の端部保持装置。
【請求項２】
前記突起は、前記第一の金具に設けられ、
前記係止孔は、前記第一の支持辺に設けられていることを特徴とする請求項１記載のカーテン生地の端部保持装置。
【請求項３】
前記カーテンレールの上辺に下方に向かって湾曲する湾曲部を該カーテンレールの長手方向に設け、前記キャップには前記湾曲部を嵌挿して保持する保持部を備えたことを特徴とする請求項１又は２のいずれか１項に記載のカーテン生地の端部保持装置。
【請求項４】
前記保持具は、
前記第一の金具と、
前記第一の金具との間に前記カーテンレールのレール部を挟着可能とした第二の金具と、
前記第一及び第二の金具を前記レール部の挟着位置に移動させる前記固定手段と
を備え、
前記第二の金具には、
前記挟着位置で前記カーテンレールの開口部に係合し、挟着位置から外れた位置で前記開口部との係合が解除されて前記第二の金具を水平方向に回動可能とする位置決め片と
を備えたことを特徴とする請求項１又は２記載のカーテン生地の端部保持装置。
【請求項５】
前記第二の金具の一端には、マグネットランナーを吸着可能とした吊下げ片を備えたことを特徴とする請求項４記載のカーテン生地の端部保持装置。
【発明の詳細な説明】
【技術分野】
【０００１】
この発明は、カーテンレールに取着されて、カーテン生地の端部を保持する機能を備えた端部保持装置に関するものである。
【背景技術】
【０００２】
カーテンは、カーテンレールに沿ってカーテン生地が引き出し及び畳み込み可能に吊下支持される。カーテンレールはたとえば金属の形材で形成され、その端縁にはキャップが嵌着されて、安全性及び美観の確保が図られている。
【０００３】
通常、カーテン生地の一方の端部は保持具を介してカーテンレールの端部に固定され、カーテン生地の他方の端部を操作してカーテン生地の引き出し操作あるいは畳み込み操作が可能である。
【０００４】
特許文献１には、カーテン生地の端部をカーテンレールの任意位置に保持可能とした端止具が開示されている。
特許文献２には、カーテンレールの端部に取着されるキャップに対し、カーテン生地の端部を保持するエンドフックをキャップに対し着脱可能としたエンドピースが開示されている。
【先行技術文献】
【特許文献】
【０００５】
【特許文献１】実公昭５７−３５１１号公報
【特許文献２】実公昭６０−１２４６４号公報
【発明の概要】
【発明が解決しようとする課題】
【０００６】
特許文献１に開示された端止具は、カーテンレールのキャップとは独立した部品であるため、カーテンレールに対しキャップと端止具を別個に取着する必要があり、組み立て作業が煩雑となる。
【０００７】
特許文献２に開示されたエンドピースは、キャップとエンドフックとを組み立てた状態でカーテンレールに取着することができるが、キャップとエンドフックとを分離した状態ではキャップ及びエンドフックをカーテンレールに固定することができない。従って、エンドフックの取付位置をカーテン生地の幅に合わせて適宜に調節することはできない。
【０００８】
また、カーテンレールに保持された状態でのエンドフックは、そのリング片がカーテンレール内からレールスリットを経て下方へ突出されている。従って、マグネットランナーをエンドフックのリング片に吸着させるために、リング片の突出位置をカーテンレールの長手方向に入れ替えるには、エンドフックを一旦カーテンレールから取り外す必要があるので、その作業が煩雑である。
【０００９】
この発明の目的は、カーテン生地の端部の保持位置を容易に調節可能とし、かつカーテンレールに対し容易に取付可能とするカーテン生地の端部保持装置を提供することにある。
【課題を解決するための手段】
【００１０】
請求項１では、カーテンレールにカーテン生地を吊下支持し、前記カーテンレールの端部に備えた保持具で前記カーテン生地の端部上縁を吊下支持するカーテン生地の端部保持装置において、カーテンレールの端部に取着されるキャップと前記保持具に、該保持具を前記キャップに弾性的に保持する係合手段を備えた。前記キャップは、弾性を有する合成樹脂で成形されており、前記カーテンレール内に向かって平行に延びる第一の支持辺と第二の支持辺とを備える。前記保持具は、前記第一の支持辺と前記第二の支持辺との間に挿入可能とした第一の金具を含み、前記係合手段は、前記第一の支持辺と前記第一の金具とのいずれか一方の部材に設けられた突起と、前記第一の支持辺と前記第一の金具のなかで前記突起が設けられていない他方の部材に設けられ、前記突起に弾性的に係合する係止孔とを備える。前記保持具は、前記カーテンレールに固定手段によって着脱可能に固定される。
【００１１】
請求項２では、前記突起は、前記第一の金具に設けられ、前記係止孔は、前記第一の支持辺に設けられているようにしてもよい。
【００１２】
請求項３では、前記カーテンレールの上辺に下方に向かって湾曲する湾曲部を該カーテンレールの長手方向に設け、前記キャップには前記湾曲部を嵌挿して保持する保持部を備えた。
【００１３】
請求項４では、前記保持具は、前記第一の金具と、前記第一の金具との間に前記カーテンレールのレール部を挟着可能とした第二の金具と、前記第一及び第二の金具を前記レール部の挟着位置に移動させる前記固定手段とを備え、前記第二の金具には、前記挟着位置で前記カーテンレールの開口部に係合し、挟着位置から外れた位置で前記開口部との係合が解除されて前記第二の金具を水平方向に回動可能とする位置決め片とを備えた。
【００１４】
請求項５では、前記第二の金具の一端には、マグネットランナーを吸着可能とした吊下げ片を備えた。
【発明の効果】
【００１５】
本発明によれば、カーテン生地の端部の保持位置を容易に調節可能とし、かつカーテンレールに対し容易に取付可能とするカーテン生地の端部保持装置を提供することができる。
【図面の簡単な説明】
【００１６】
【図１】カーテンを示す正面図である。
【図２】端部保持装置を示す正面図である。
【図３】端部保持装置を示す側面図である。
【図４】端部保持装置を示す断面図である。
【図５】端部保持装置を示す分解斜視図である。
【図６】端部保持装置の作用を示す正面図である。
【図７】端部保持装置の作用を示す正面図である。
【図８】端部保持装置の作用を示す正面図である。
【発明を実施するための形態】
【００１７】
以下、この発明を具体化したカーテン生地の端部保持装置の一実施形態を図面に従って説明する。図１に示すカーテンは、カーテン生地を左から右に向かって引き出し、右から左に向かって畳み込む片開き型のカーテンを示す。
【００１８】
カーテンレール１に多数のランナーが移動可能に支持され、各ランナーに取着されている吊下リング３にカーテン生地４の上縁部が等間隔に吊下支持されている。
前記カーテン生地４の上縁一端部はカーテンレール１の一端部に取着される保持具５ａに吊下支持されている。また、前記カーテン生地４の上縁他端部はカーテンレール１に移動可能に支持されているマグネットランナー６に吊下支持されている。
【００１９】
前記カーテンレール１の他端部にはマグネットランナー６を吸着可能とした保持具５ｂが取着されている。そして、カーテン生地４をカーテンレール１の右端まで移動させて、マグネットランナー６を保持具５ｂに吸着させると、カーテン生地４が引き出された状態に保持される。
【００２０】
前記保持具５ａの具体的構成を図２〜図５に従って説明する。前記カーテンレール１は金属板をほぼ断面四角筒状に成形した形材であり、下面中央部にはカーテンレール１の長手方向に開口部７が形成されている。そして、開口部７の両側のレール部１ａ上を前記ランナーが転動するようになっている。また、カーテンレール１の上面中央部には、下方に向かって湾曲して凹む湾曲部８がカーテンレール１の長手方向に設けられている。
【００２１】
前記カーテンレール１の両端部には合成樹脂で成形されたキャップ９が取着されている。前記キャップ９は、前記カーテンレール１の端部の外周面を覆うような蓋状に形成され、その内側面からカーテンレール１内に挿入可能とした挿入部１０が形成されている。
【００２２】
前記挿入部１０の上面には、前記カーテンレール１の湾曲部８の下面に沿うように凹む保持面１１が形成されている。前記保持面１１の上方には、断面Ｔ字型の保持片１２が形成され、その保持片１２の下端は保持面１１の近傍まで延設されている。保持片１２の下端と保持面１１との間の間隔は、前記カーテンレール１の板厚と同等である。
【００２３】
そして、図３に示すように、カーテンレール１の湾曲部８をキャップ９の保持面１１と保持片１２との間に挿入すると、キャップ９がカーテンレール１の端部に取着される。
前記キャップ９には、前記挿入部１０の下方において挿入部１０とともにカーテンレール１内に挿入可能とした第一の支持辺１３が水平方向に延設されている。また、前記第一の支持辺１３の中央部には孔１４が形成されている。
【００２４】
前記第一の支持辺１３の下方には、第一の支持辺１３より幅狭な水平辺の第二の支持辺１５が第一の支持辺１３と平行に延設されている。
図５に示すように、前記保持具５ａは、第一の金具１６と、第二の金具１７と、ネジ１８とで構成される。第一の金具１６は、金属板の両端部が下方に向かって直角に屈曲されて側片１９が形成され、その側片１９間に前記第二の支持辺１５を挿通可能となっている。
【００２５】
また、前記第一の金具１６の板厚は、前記第一の支持辺１３と第二の支持辺１５との間隔より僅かに薄く形成されて、側片１９間に第二の支持辺１５を挿通しながら、第一の金具１６を第一の支持辺１３と第二の支持辺１６との間に挿入可能となっている。
【００２６】
前記第一の金具１６の基端側上面には、上方へ円形に突出する突起２０が形成されている。そして、第一の金具１６を第一の支持辺１３と第二の支持辺１６との間に挿入すると、突起２０が第一の支持辺１３の下面に当接して第一の支持辺１３を上方へ撓ませながら進入し、図４に示すように、やがて突起２０が前記孔１４に係合する。すると、第一の金具１６は第一の支持辺１３と第二の支持辺１５との間に弾性的に保持される。
【００２７】
前記第一の金具１６の先端側中央部には前記ネジ１８を螺入可能としたネジ孔２１が貫通されている。
前記第二の金具１７は、金属板を折り曲げて形成され、その水平辺２２の中央に前記ネジ１８を挿通可能とした透孔２３が形成されている。前記水平辺２２の一側縁には上方に向かって直角に屈曲された位置決め片２４が形成されている。この位置決め片２４は、図３に示すように、前記カーテンレール１の開口部７の幅より狭い幅で形成され、開口部７内に挿入可能となっている。
【００２８】
前記水平辺２２の他側縁には、下方へ向かって直角に屈曲された吊下げ片２５が形成されている。そして、吊下げ片２５の中央部には、図３に示すように、半円状の取付孔２６が形成され、取付孔２６の下方部分は前記水平辺２２の中央部側に向かって湾曲して凹部２７が形成されている。そして、取付孔２６には、図３及び図４に示すように、前記カーテン生地４の端部を吊下支持する吊下げリング２８が取着されている。
【００２９】
このように構成された保持具５ａをキャップ９とアッセンブルするには、カーテンレール１の端部に取着するには、ネジ１８を第二の金具１７の下方から透孔２３に挿通するとともに、ネジ１８の先端を第一の金具１６のネジ孔２１に螺入して、第一の金具１６と第二の金具１７を仮止めする。
【００３０】
次いで、第一の金具１６の突起２０をキャップ９の第一の支持辺１３の孔１４に係合させて、保持具５ａをキャップ９に取着する。そして、カーテンレール１の設置場所でキャップ９を保持具５ａとアッセンブリー状態でカーテンレール１の端縁に嵌着し、この状態でネジ１８をネジ孔２１にさらに螺入する。すると、図３に示すように、第一の金具１６の側片１９と第二の金具１７の水平辺２２との間にカーテンレール１のレール部１ａが挟まれるので、ネジ１８を絞め込むことにより、保持具５ａがカーテンレール１に固定される。
【００３１】
ネジ１８を締め込むとき、第二の金具１７の位置決め片２４がカーテンレール１の開口部７内に位置しているので、第二の金具１７の回転が阻止される。
カーテンレール１の他端部にはキャップ９が取着され、そのキャップ９に保持具５ｂが取着されてカーテンレール１に固定されている。
【００３２】
次に、上記のように構成された保持具５ａ，５ｂ及びキャップ９の作用を説明する。上記のように、ネジ１８に対し第二の金具１７の吊下げ片２５がキャップ９側に位置する状態で保持具５ａをカーテンレール１の左端に取着すると、図１に示すように、キャップ９の近傍でカーテン生地４の端部が保持具５ａの吊下げリング２８に吊下支持可能となる。
【００３３】
また、保持具５ａをキャップ９から離れた位置でカーテンレール１に固定することも可能である。すなわち、ネジ１８を緩めて保持具５ａをカーテンレール１に対し移動可能とした状態で、保持具５ａとキャップ９との係合を解除し、図６に示すように、キャップ９から離れた位置でカーテンレール１に固定する。
【００３４】
このような作業により、保持具５ａをカーテン生地４の幅に合わせて任意位置に移動可能となる。
また、保持具５ａは第二の金具１７の吊下げ片２５をカーテンレール１の中央部側に向けた状態で取着することも可能である。例えば図４に示す状態から、ネジ１８を緩めて第二の金具１７を下降させる。そして、第二の金具１７の位置決め片２４をカーテンレール１に対し回転させうる位置まで下降させて、ネジ１８を支点として１８０度回転させると、図７に示すように、吊下げ片２５がネジ１８に対しカーテンレール１の中央部側に位置する。
【００３５】
この状態でネジ１８を締め込むと、保持具５ａは吊下げ片２５がネジ１８に対しカーテンレール１の中央部側に位置する状態でカーテンレール１に固定される。この状態では、吊下げ片２５でマグネットランナー６を吸着保持可能である。
【００３６】
カーテンレール１の右端に取着される保持具５ｂは、図８に示すように、上記のような作業により吊下げ片２５がカーテンレール１の中央部側に位置するように固定されている。そして、吊下げ片２５でマグネットランナー６を吸着保持可能である。
【００３７】
上記のように構成された端部保持装置では、次に示す効果を得ることができる。
（１）キャップ９と保持具５ａを一体とした状態で、キャップ９をカーテンレール１の端部に取着することができる。そして、ネジ１８を締め込むことにより、保持具５ａをカーテンレール１に固定することができる。
（２）第一の金具１６をキャップ９の第一の支持辺１３と第二の支持辺１５との間に挿入して突起２０を第一の支持辺１３の孔１４に弾性的に係合させることにより、保持具５ａをキャップ９に容易に取着することができる。
（３）カーテンレール１の湾曲部８をキャップ９の保持面１１と保持片１２との間に嵌挿することにより、キャップ９をカーテンレール１に容易に取着することができる。
（４）保持具５ａの第二の金具１７を、第一の金具１６及びカーテンレールから取り外すことなく、ネジ１８を緩めるだけで取付方向を１８０度転換することができる。従って、第二の金具１７の吊下げ片２５をカーテンレール１の端部側に向けるか、中央部側に向けるかを容易に転換することができる。
（５）カーテンレール１の端部を吊下支持する保持具と、マグネットランナー６を吸着する保持具とを共通化することができる。
（６）第二の金具１７の位置決め片２４により、ネジの締め込み操作時の第二の金具１７の回転を防止することができる。
（７）保持具５ａ，５ｂのカーテンレール１に対する取付位置を任意位置に変更可能である。
【００３８】
上記実施形態は、以下の態様で実施してもよい。
・第一の金具１６に凹部を設け、第一の支持辺１３若しくは第二の支持辺１５に設けた突部を前記凹部に弾性的に係合させてもよい。
（付記１）
第一の金具と、
前記第一の金具との間に前記カーテンレールのレール部を挟着可能とした第二の金具と、
前記第一及び第二の金具を前記レール部の挟着位置に移動させる前記固定手段と
を備え、
前記第二の金具には、
前記挟着位置で前記カーテンレールの開口部に係合し、挟着位置から外れた位置で前記開口部との係合が解除されて前記第二の金具を水平方向に回動可能とする位置決め片と
を備えたことを特徴とするカーテン生地の端部保持装置。
【符号の説明】
【００３９】
１…カーテンレール、４…カーテン生地、５ａ，５ｂ…保持具、６…マグネットランナー、７…開口部、８…湾曲部、９…キャップ、１１…保持部（保持面）、１２…保持部（保持片）、１３…第一の支持辺、１４…係合手段（係止孔、孔）、１５…第二の支持辺、１６…第一の金具、１７…第二の金具、１８…固定手段（ネジ）、２０…係合手段（突起）、２４…位置決め片、２５…吊下げ片。
【図１】
0005882000.tif 000002
【図２】
0005882000.tif 000003
【図３】
0005882000.tif 000004
【図４】
0005882000.tif 000005
【図５】
0005882000.tif 000006
【図６】
0005882000.tif 000007
【図７】
0005882000.tif 000008
【図８】
0005882000.tif 000009